(57)【要約】【課題】バリア閉時に厚み方向でバリア相互の段差を生じず、円滑な作動が可能なバリア開閉機構を得ること。【解決手段】撮影レンズを保持する鏡枠と、前記鏡枠と接合部を有して一体的に形成された鏡筒と、前記鏡筒の進退に対応して開閉するバリアと、前記バリアに係合する回動部材と、を有するバリア開閉機構において、前記接合部の被写体側に前記バリアを配置し、前記接合部の像面側に前記回動部材を配置したバリア開閉機構とする。【選択図】        図１
2005017698.tif 000002
【特許請求の範囲】
【請求項１】
撮影レンズを保持する鏡枠と、前記鏡枠と接合部により一体的に形成された鏡筒と、前記鏡筒の進退に対応して開閉するバリアと、前記バリアに係合する回動部材と、を有するバリア開閉機構において、
前記接合部の被写体側に前記バリアを配置し、前記接合部の像面側に前記回動部材を配置したことを特徴とするバリア開閉機構。
【請求項２】
前記バリアが金属板で形成されていることを特徴とする請求項１に記載のバリア開閉機構。
【請求項３】
前記回動部材を前記バリアの開く方向に付勢する付勢部材を有することを特徴とする請求項１又は２に記載のバリア開閉機構。
【請求項４】
前記回動部材は筒状部を有していることを特徴とする請求項１〜３のいずれか１項に記載のバリア開閉機構。
【発明の詳細な説明】
【０００１】
【発明の属する技術分野】
本発明は、カメラ等に搭載される撮影レンズの前面を保護するためのバリアの開閉機構に関するものである。
【０００２】
【従来の技術】
従来より、撮影レンズの鏡胴内の前側にバリアを配置し、携帯時には、鏡胴を沈胴させ、撮影レンズ前面のバリアを閉じ、レンズを保護するようにしたカメラが多数市販されている。この鏡胴内に配置されたバリアは、鏡胴の前進に連動して開き、沈胴時に閉じるよう構成されている。
【０００３】
図５は、従来のバリア開閉機構の各部材の配置を示す概略の断面図である。同図はバリア開状態を示している。
【０００４】
同図において、１は撮影レンズ、２は化粧リング、３ａと３ｂはバリア、４は回動部材でバリア３ａ、３ｂと係合している。６は鏡筒、６ｗは鏡枠であり、この鏡筒６と鏡枠６ｗは一体成形又は接合部６ｓでネジ止めされ一体化されている。５は係合部材であり、バリア開状態即ち鏡筒６が前進しているときは、回動部材４の係合部４ｐは係合部材５と離間しており、鏡筒６が沈胴すると、回動部材４の係合部４ｐは係合部材５と係合し、回動部材４を回動させ、係合するバリア３ａ、３ｂを閉じ方向に駆動し撮影レンズ１の前面を覆う閉状態となる。
【０００５】
このようなバリア開閉機構の例として、２本の直進案内部材を係合部材とし先端をそれぞれ開時と閉時に別々に係合させることにより回動部材を回動させ、バリアを開閉するよう構成したものがある（例えば、特許文献１参照）。
【０００６】
【特許文献１】
特開２０００−１４７５９９号公報
【０００７】
【発明が解決しようとする課題】
図５に示すように、従来のバリア開閉機構においては、回動部材４とバリア３ａ、３ｂは、鏡筒６と鏡枠６ｗの間の接合部６ｓの被写体側に積層して組み込まれている。
【０００８】
この様な従来の構成では、鏡筒６と鏡枠６ｗの間の接合部６ｓと化粧リング２の間で、バリアと回動部材のそれぞれの厚み方向（光軸方向）の誤差が累積し、がたを生じ、バリア閉時に２枚のバリアが厚み方向で相互にずれ、段差を生じる問題がある。
【０００９】
また、回動部材４は光軸周りに回動し、バリア３ａ、３ｂは固定された軸に対して回動するため、回動部材４の形状はバリアの回動軸等に干渉しないよう形成しなくてはならず、形状が複雑となる。この複雑な形状の回動部材４とバリア３ａ、３ｂは直接重ね合わされ、かつ異なる動きをするため、相互の摺動部の表面状態や摩耗により作動が不円滑になるという問題を生じやすい。
【００１０】
本発明は上記問題に鑑み、バリア閉時に厚み方向でバリア相互の段差を生じず、円滑な作動が可能なバリア開閉機構を得ることを目的とするものである。
【００１１】
【課題を解決するための手段】
上記の課題は、撮影レンズを保持する鏡枠と、前記鏡枠と接合部により一体的に形成された鏡筒と、前記鏡筒の進退に対応して開閉するバリアと、前記バリアに係合する回動部材と、を有するバリア開閉機構において、前記接合部の被写体側に前記バリアを配置し、前記接合部の像面側に前記回動部材を配置したことを特徴とするバリア開閉機構、とすることで解決される。
【００１２】
即ち、鏡枠と鏡筒との接合部の被写体側にバリアを配置し、接合部の像面側に回動部材を配置することにより、バリアと回動部材は直接重ね合わされず、接合部の表裏で作動するようにでき、上記の問題が解決できる。
【００１３】
【発明の実施の形態】
以下、実施の形態により本発明を詳しく説明するが、本発明はこれに限定されるものではない。
【００１４】
図１は、本発明のバリア開閉機構の構造を示す斜視図である。
同図において、１は撮影レンズ、２は化粧リング、６は鏡筒である。鏡筒６は、撮影レンズ１を内包する図示しない鏡枠と接合部６ｓで一体的に形成されている。３ａ、３ｂはバリアである。バリア３ａ、３ｂは接合部６ｓの被写体側に組み付けられる。化粧リング２は、バリア３ａ、３ｂの上に被せて鏡筒６に組み付けられる。
【００１５】
バリア３ａには穴部３ｃ、３ｅ、バリア３ｂには穴部３ｄ、３ｆを有している。バリア３ａの穴部３ｃは、接合部６ｓ上に形成されたボス６ｃに嵌合され、このボス６ｃを中心に回動可能とされている。同様に、バリア３ｂの穴部３ｄは、鏡筒６の接合部６ｓ上に形成されたボス６ｄに嵌合され、このボス６ｄを中心に回動可能とされている。
【００１６】
４は回動部材である。この回動部材４は円筒部４ａと鍔部４ｂを有している。この鍔部４ｂは、形成された３箇所の切り欠き部に、それぞれ３本の段付きピン８で、接合部６ｓの像面側の面に取り付けられる。これにより、回動部材４は接合部６ｓの像面側で、光軸周りに回動可能とされている。
【００１７】
回動部材４の鍔部４ｂには、ピン４ｅ、４ｆが形成されている。このピン４ｅは、鏡筒６の接合部６ｓに形成された円弧状の長穴６ｋを貫通し、バリア３ａの穴部３ｅに嵌合される。同様に、ピン４ｆは、接合部６ｓに形成された円弧状の長穴６ｎを貫通し、バリア３ｂの穴部３ｆに嵌合される。
【００１８】
これにより、回動部材４が光軸周りに回動すると、ピン４ｅと嵌合されたバリア３ａの穴部３ｅも回動させられる。一方バリア３ａは、ボス６ｃで軸支されているため、このボス６ｃを中心にして回動させられる。同様に、ピン４ｆと嵌合されたバリア３ｂの穴部３ｆも回動させられ、バリア３ｂは、軸支されているボス６ｄを中心にして回動させられる。
【００１９】
一方、回動部材４の円筒部４ａのバネ掛け部４ｓと鏡筒６内のバネ掛け部９の間にコイルバネ７がかけられ、図示右周り方向に付勢している。この付勢方向はバリア３ａ、３ｂを開く方向となっている。
【００２０】
更に、鏡筒６は、図示しない駆動機構により、進退可能となされており、この鏡筒６の後方には、回動部材４に形成されたボス４ｐと係合する位置に、係合部材５が配置され、その先端には、傾斜部５ｋと平坦部５ｈが形成されている。係合部材５は、沈胴する鏡胴に多用される直進案内部材等で兼用しても良い。
【００２１】
以上のように構成された鏡筒６の進退とバリア３ａ、３ｂの動作について説明する。
【００２２】
鏡筒６が前方へ繰り出された時は、係合部材５と回動部材４に形成されたボス４ｐは離間し、回動部材４はコイルバネ７により図示右周りに回動し、このためピン４ｅ、４ｆで嵌合されたバリア３ａ、３ｂは開いた状態となる。
【００２３】
一方、鏡筒６が後方へ繰り込まれ、沈胴する時は、回動部材４に形成されたボス４ｐは、まず係合部材５の傾斜部５ｋに当接し、コイルバネ７の付勢力に抗しつつ回動し、平坦部５ｈに至る。この当接により、ボス４ｐ即ち回動部材４は図示左周りに回動させられる。これにより、ピン４ｅと嵌合するバリア３ａの穴部３ｅも図示左周りに回動させられ、バリア３ａは、ボス６ｃを中心に閉じる方向へ回動させられる。同様に、ピン４ｆと嵌合するバリア３ｂの穴部３ｆも図示左周りに回動させられ、バリア３ｂも、ボス６ｄを中心に閉じる方向へ回動させられ、バリア３ａと３ｂの直線部３ｔと３ｓが合わさり、撮影レンズ１の前面を覆うようになる。
【００２４】
以上が、本発明のバリア開閉機構の構成及び動作である。
図２は、バリア３ａ、３ｂの鏡筒６内での動きを示す図である。同図は、バリア３ａ、３ｂを被写体側から見た図であり、バリア開状態を実線で示し、バリア閉状態を破線で示してある。
【００２５】
同図において、化粧リング２に形成された開口部の形状を２ａで示してある。鏡筒６内のバリア３ａ、３ｂは、図示のように開口部２ａから退避した位置にある。前述のようにバリア３ａは、穴部３ｃと接合部に形成されたボス６ｃの嵌合により軸支され、穴部３ｅは回動部材に形成されたピン４ｅと嵌合されている。同様に、バリア３ｂは、穴部３ｄと接合部に形成されたボス６ｄの嵌合により軸支され、穴部３ｆは回動部材に植設されたピン４ｆと嵌合されている。
【００２６】
即ち、実線で示したバリア３ａ、３ｂは図１で説明した回動部材４と係合部材５が離間している状態を示している。一方、鏡筒６が後方へ繰り込まれ、沈胴する時は、図１で説明したように回動部材のピン４ｅ、４ｆは図示左周りに回動させられる。このため、嵌合する穴部３ｅ、３ｆは破線の位置に移動させられ、バリア３ａ、３ｂは、それぞれ穴部３ｃ、３ｄを中心に、破線で示す位置へ回動し、開口部２ａを閉鎖するようになっている。
【００２７】
図３は、本発明のバリア開閉機構の概略の断面図である。図３（ａ）は沈胴時の状態、図３（ｂ）は鏡筒が繰り出された状態を示している。
【００２８】
図３（ａ）に示すように、鏡筒６の沈胴時は、鏡筒６と鏡枠６ｍとの接合部６ｓの像面側で係合部材５とボス４ｐは係合状態にあり、図１に示すピン４ｅ、４ｆは回動させられ、このピンの回動によりバリア３ａ、３ｂは鏡筒６と鏡枠６ｍとの接合部６ｓの被写体側で動作し、化粧リング２の開口部を閉鎖する。
【００２９】
また鏡筒６の繰り出し時は、図３（ｂ）に示すように、鏡筒６と鏡枠６ｍとの接合部６ｓの像面側で係合部材５とボス４ｐは離間状態にあり、図１に示すピン４ｅ、４ｆはコイルバネ７により逆方向に回動させられ、このピンの回動によりバリア３ａ、３ｂは鏡筒６と鏡枠６ｍとの接合部６ｓの被写体側で動作し、化粧リング２の開口部を開放する。
【００３０】
以上説明したように、進退する鏡筒と鏡枠との接合部の被写体側にバリアを配置し、この接合部の像面側にバリアに係合する回動部材を配置することにより、接続部と化粧リングの間にはバリアのみが配置され、これによりバリア作動領域の厚み方向のガイドが容易となり円滑な作動が確保できる。また回動部材と直接重ね合わせる必要がなくなり、相互の摺動部の表面状態や摩耗の問題がなくなり円滑な作動が確保できる。
【００３１】
更に、回動部材とバリアを直接重ね合せないため、誤差の累積が無くなり、バリア閉時に厚み方向のバリア相互の段差の発生を解消できる。このことは、バリア自体の厚みを薄く形成することを可能とし、例えば樹脂成形では不可能な薄さの金属板等を使用することを可能とするものである。このことは、撮影レンズの第１面と化粧リングの隙間を小さくすることを可能とし、沈胴時の厚みを従来より薄くできるという効果も重ねて得ることができる。
【００３２】
図４は、本発明のバリア開閉機構のその他の例を示す図である。同図は、図１に示すバリア開閉機構と回動部材４と係合部材５が異なり、その他は同様であるため、回動部材４と係合部材５のみを抜き出して示してある。
【００３３】
図４（ａ）は、円筒部の無い平板の回動部材４で構成したものである。同図において、回動部材４は例えば曲げ加工により、舌部４ｑを有している。この舌部４ｑは、傾斜部４ｋと平坦部４ｈが形成されている。
【００３４】
この構成により、鏡筒が沈胴する時は、舌部４ｑの傾斜部４ｋと係合部材５の傾斜部５ｋが当接し、更に沈胴することにより舌部４ｑの平坦部４ｈが、係合部材５の平坦部５ｈと当接し、これにより、回動部材４を図示左周りに回動させるものである。その他の動作は図１と同様である。
【００３５】
図４（ｂ）は、回動部材４を付勢するコイルバネを不要としたものである。同図において、回動部材４はバリアの開位置と閉位置に図示しないクリック部材により保持される構成を有し、係合部材５は溝部５ｍを有したものである。
【００３６】
この構成により、鏡筒が沈胴する時は、ボス４ｐは係合部材５の溝部５ｍに入り込み、更に沈胴することにより、ボス４ｐはこの溝部５ｍの形状に沿って回動し、これにより回動部材４は図示左周りに回動させるものである。その他の動作は図１と同様である。
【００３７】
このようにしても、上述と同様の効果を得ることができる。
なお、本実施の形態は、バリアに関わる最前列のレンズ群と鏡筒を用いて説明したが、本発明は沈胴するものであれば、単焦点レンズ、ズームレンズに関わらず適用可能であり、従来のフィルムカメラ、固体撮像素子を用いたデジタルカメラ、ビデオカメラ等の撮影レンズのいずれにも適用可能であるのは言うまでもない。
【００３８】
【発明の効果】
以上説明したように、バリア閉時に厚み方向でバリア相互の段差を生じず、円滑な作動が可能なバリア開閉機構を得ることが可能となった。
【図面の簡単な説明】
【図１】本発明のバリア開閉機構の構造を示す斜視図である。
【図２】バリアの鏡筒内での動きを示す図である。
【図３】本発明のバリア開閉機構の概略の断面図である。
【図４】本発明のバリア開閉機構のその他の例を示す図である。
【図５】従来のバリア開閉機構の各部材の配置を示す概略の断面図である。
【符号の説明】
１  撮影レンズ
２  化粧リング
３ａ、３ｂ  バリア
４  回動部材
５  係合部材
６  鏡筒
７  コイルバネ
【図１】
2005017698.tif 000003
【図２】
2005017698.tif 000004
【図３】
2005017698.tif 000005
【図４】
2005017698.tif 000006
【図５】
2005017698.tif 000007